(57)【要約】【課題】利用者が効果的に歌唱練習を行う。【解決手段】操作端末１０は、複数のフレーズに区分された楽曲データを記憶する楽曲記憶部１６１と、楽曲記憶部１６１から読み出された楽曲データの複数のフレーズを順次再生する音源１３等とを有し、マイク１８を介し入力された利用者によるカラオケ歌唱の音声信号を取得し、音源１３等による楽曲データの連続する１以上のフレーズの再生が終了するごとに、上記取得されたカラオケ歌唱の音声信号に基づき、再生の終了した１以上のフレーズに対するカラオケ歌唱を採点し、再生の終了した１以上のフレーズに対する得点が、６９点以下であった場合に、再生の終了した１以上のフレーズの少なくとも一部を再度再生するように、音源１３等を制御する。【選択図】図４
2014194471.tif 000002
【特許請求の範囲】
【請求項１】
複数の楽曲フレーズに区分された楽曲データを記憶する楽曲記憶手段と、
前記楽曲記憶手段から読み出された前記楽曲データの前記複数の楽曲フレーズを順次再生する再生手段と、
音声信号入力手段を介し入力された利用者によるカラオケ歌唱の音声信号を取得する音声取得手段と、
前記再生手段による前記楽曲データの連続する１以上の前記楽曲フレーズの再生が終了するごとに、前記音声取得手段により取得された前記カラオケ歌唱の音声信号に基づき、再生の終了した前記１以上の楽曲フレーズに対する前記カラオケ歌唱を評価する歌唱評価手段と、
前記歌唱評価手段による前記再生の終了した１以上の楽曲フレーズに対する評価結果が、所定の第１評価基準よりも低評価であった場合に、前記再生の終了した１以上の楽曲フレーズの少なくとも一部を再度再生するように、前記再生手段を制御する再生制御手段と、
を有することを特徴とするカラオケ装置。
【請求項２】
前記楽曲データの前記複数の楽曲フレーズと同一区間となるように複数の模範歌唱フレーズに区分された、当該楽曲データに対する模範歌唱データ、を記憶する模範歌唱記憶手段をさらに有し、
前記再生手段は、
前記楽曲記憶手段から読み出された前記楽曲データ、及び、前記模範歌唱記憶手段から読み出された、当該楽曲データに対する前記模範歌唱データ、を用いて、前記読み出された楽曲データの各楽曲フレーズを２回ずつ順次再生すると共に、各楽曲フレーズの１回目の再生を行う際に、前記読み出された模範歌詞データの、当該楽曲フレーズに対応する前記模範歌唱フレーズも同時に再生し、
前記歌唱評価手段は、
前記再生手段による前記１以上の楽曲フレーズの２回目の再生が終了するごとに、２回目の再生の終了した前記１以上の楽曲フレーズに対する前記カラオケ歌唱を評価し、
前記再生制御手段は、
前記歌唱評価手段による前記２回目の再生の終了した１以上の楽曲フレーズに対する評価結果が、前記第１評価基準よりも低評価であった場合に、前記再生の終了した１以上の楽曲フレーズの少なくとも一部を再度２回再生すると共に、当該１以上の楽曲フレーズの少なくとも一部の１回目の再度の再生を行う際に、当該１以上の楽曲フレーズの少なくとも一部に対応する１以上の前記模範歌唱フレーズも再度同時に再生するように、前記再生手段を制御するか、若しくは、前記再生の終了した１以上の楽曲フレーズの少なくとも一部を再度１回のみ再生するように、前記再生手段を制御する
ことを特徴とする請求項１記載のカラオケ装置。
【請求項３】
前記歌唱評価手段による前記楽曲データの各楽曲フレーズに対する評価結果を各利用者ごとに記憶する評価結果記憶手段と、
前記利用者に関する前記再生手段による前記楽曲データの最初の再生対象とする前記１以上の楽曲フレーズを、前記評価結果記憶手段に記憶された、当該利用者に関する前記歌唱評価手段による当該楽曲データの各楽曲フレーズに対する前回以前の少なくとも１回の評価結果、に応じて決定する第１フレーズ決定手段と、
前記利用者に関する前記再生手段による前記楽曲データの２回目以降の再生対象とする前記１以上の楽曲フレーズを、前記評価結果記憶手段に記憶された、当該利用者に関する前記歌唱評価手段による当該楽曲データの各楽曲フレーズに対する前回以前の少なくとも１回の評価結果、及び、前記歌唱評価手段による前記再生の終了した１以上の楽曲フレーズに対する評価結果、に応じて決定する第２フレーズ決定手段と、
をさらに有し、
前記再生制御手段は、
前記第１又は第２フレーズ決定手段により決定された前記再生対象とする１以上の楽曲フレーズを再生するように、前記再生手段を制御する
ことを特徴とする請求項１又は２記載のカラオケ装置。
【請求項４】
前記第２フレーズ決定手段は、
前記歌唱評価手段による前記再生の終了した１以上の楽曲フレーズに対する評価結果が、前記第１評価基準よりも低評価であった場合でも、前記歌唱評価手段による当該１以上の楽曲フレーズに対する前回以前の少なくとも１回の評価結果が、前記第１評価基準以上であった場合、又は、当該第１評価基準よりも基準の高い所定の第２評価基準よりも高評価であった場合、には、当該１以上の楽曲フレーズの直後の１以上の前記楽曲フレーズを、前記再生対象とする１以上の楽曲フレーズに決定する
ことを特徴とする請求項３記載のカラオケ装置。
【請求項５】
表示手段を制御する表示制御手段と、
前記楽曲データの前記複数の楽曲フレーズと同一区間となるように複数の歌詞フレーズに区分された、当該楽曲データに対する歌詞データ、を記憶する歌詞記憶手段と、
をさらに有し、
前記表示制御手段は、
前記再生手段により前記楽曲データの各楽曲フレーズの再生が行われる際に、前記歌詞記憶手段から読み出された、当該楽曲データに対する前記歌詞データ、の、前記再生が行われる各楽曲フレーズに対応する前記歌詞フレーズ、に基づく歌詞テロップを表示するように、前記表示手段を制御する
ことを特徴とする請求項１乃至４のいずれか１項記載のカラオケ装置。
【請求項６】
前記表示制御手段は、
前記再生手段により前記楽曲データの各楽曲フレーズの再生が行われる際に、当該楽曲データの再生進捗状況に基づく表示を表示するように、前記表示手段を制御する
ことを特徴とする請求項５記載のカラオケ装置。
【請求項７】
前記表示制御手段は、
前記歌唱評価手段による前記楽曲データの各楽曲フレーズに対する評価結果に基づく表示を表示するように、前記表示手段を制御する
ことを特徴とする請求項５又は６記載のカラオケ装置。
【請求項８】
前記表示制御手段は、
前記再生手段により前記楽曲データの各楽曲フレーズの再生が行われる際に、前記歌唱評価手段による当該楽曲フレーズに対する前回以前の少なくとも１回の評価結果に基づく表示を表示するように、前記表示手段を制御する
ことを特徴とする請求項７記載のカラオケ装置。
【請求項９】
複数の楽曲フレーズに区分された楽曲データを用いてカラオケ楽曲の再生を行うカラオケ装置の演算手段に対し、
前記楽曲データの連続する１以上の前記楽曲フレーズの再生が終了するごとに、利用者によるカラオケ歌唱の音声信号に基づき、再生の終了した前記１以上の楽曲フレーズに対する前記カラオケ歌唱を評価する歌唱評価手順と、
前記歌唱評価手順での前記再生の終了した１以上の楽曲フレーズに対する評価結果が、所定の第１評価基準よりも低評価であった場合に、前記再生の終了した１以上の楽曲フレーズの少なくとも一部を再度再生するように、再生制御を行う再生制御手順と、
を実行させるための、カラオケプログラム。
【請求項１０】
複数の楽曲フレーズに区分された楽曲データを用いてカラオケ楽曲の再生を行うカラオケ装置の演算手段に対し、
前記楽曲データの連続する１以上の前記楽曲フレーズの再生が終了するごとに、利用者によるカラオケ歌唱の音声信号に基づき、再生の終了した前記１以上の楽曲フレーズに対する前記カラオケ歌唱を評価する歌唱評価手順と、
前記歌唱評価手順での前記再生の終了した１以上の楽曲フレーズに対する評価結果が、所定の第１評価基準よりも低評価であった場合に、前記再生の終了した１以上の楽曲フレーズの少なくとも一部を再度再生するように、再生制御を行う再生制御手順と、
を実行させるためのカラオケプログラムを記録した記録媒体。
【発明の詳細な説明】
【技術分野】
【０００１】
本発明は、楽曲データを再生するカラオケ装置、カラオケ装置により実行されるカラオケプログラム、及び、カラオケプログラムを記録した記録媒体に関する。
【背景技術】
【０００２】
従来、楽曲データを再生するカラオケ装置が知られている（例えば、特許文献１参照）。このカラオケ装置においては、楽曲を構成する各フレーズについて伴奏音と同時に歌手の歌唱が再生された後、同一のフレーズについて伴奏音のみの演奏が実行される、練習モードが設定されている。ユーザは、練習モードにおいて、各フレーズごとに、まず歌手による歌唱を聞いて楽曲の歌唱を覚え、次に同一のフレーズについて歌手による歌唱を聞かないで歌唱することにより、楽曲の歌唱の練習を効率的に行うことができる。
【先行技術文献】
【特許文献】
【０００３】
【特許文献１】特開２０００−１２２６７２号公報
【発明の概要】
【発明が解決しようとする課題】
【０００４】
ここで、上記のような歌唱練習において、利用者に対し自分が上手に歌唱できなかった（不得意な）フレーズを重点的に歌唱練習させることができれば、利用者が効果的に歌唱練習を行うことができるので、望ましい。しかしながら、上記従来技術では、このような点までの配慮は特になされていなかった。
【０００５】
本発明の目的は、利用者が効果的に歌唱練習を行うことができる、カラオケ装置、カラオケプログラム、及び記録媒体を提供することにある。
【課題を解決するための手段】
【０００６】
上記目的を達成するために、本願発明のカラオケ装置は、複数の楽曲フレーズに区分された楽曲データを記憶する楽曲記憶手段と、前記楽曲記憶手段から読み出された前記楽曲データの前記複数の楽曲フレーズを順次再生する再生手段と、音声信号入力手段を介し入力された利用者によるカラオケ歌唱の音声信号を取得する音声取得手段と、前記再生手段による前記楽曲データの連続する１以上の前記楽曲フレーズの再生が終了するごとに、前記音声取得手段により取得された前記カラオケ歌唱の音声信号に基づき、再生の終了した前記１以上の楽曲フレーズに対する前記カラオケ歌唱を評価する歌唱評価手段と、前記歌唱評価手段による前記再生の終了した１以上の楽曲フレーズに対する評価結果が、所定の第１評価基準よりも低評価であった場合に、前記再生の終了した１以上の楽曲フレーズの少なくとも一部を再度再生するように、前記再生手段を制御する再生制御手段と、を有することを特徴とする。
【０００７】
本願発明においては、楽曲記憶手段に、複数の楽曲フレーズに区分された楽曲データが記憶されている。利用者がカラオケ楽曲の予約操作を行うと、その予約操作に基づく楽曲データが楽曲記憶手段から読み出され、再生手段が、その読み出された楽曲データの複数の楽曲フレーズを順次再生する。再生される楽曲フレーズに対し利用者がカラオケ歌唱を行うと、当該楽曲フレーズに対するカラオケ歌唱の音声信号が音声信号入力手段を介し入力され、音声取得手段により取得される。
【０００８】
また、本願発明においては、再生手段により楽曲データの再生が行われた際に、当該楽曲データの連続する１以上の楽曲フレーズの再生が終了されるごとに、再生の終了した１以上の楽曲フレーズに対するカラオケ歌唱が歌唱評価手段により評価される。
【０００９】
このとき、歌唱評価手段による上記再生の終了した１以上の楽曲フレーズに対する評価結果が第１評価基準よりも低評価であった場合には、当該楽曲フレーズは上手に歌唱できていないとみなされて、再生制御手段の制御により、再生手段が、上記再生の終了した１以上の楽曲フレーズ（利用者が上手に歌唱できなかった（不得意な）フレーズ）の少なくとも一部を再度（繰り返して）再生する。これにより、利用者は、上手に歌唱できなかったフレーズについて再度歌唱練習を行うことができる。また、例えば、利用者が上手に歌唱できた（得意な）フレーズや普通に歌唱できた（不得意でもなく得意でもない）フレーズについては、上記の上手に歌唱できなかったフレーズと異なり、再度再生しないようにすればよい。この結果、利用者は、上手に歌唱できなかったフレーズについて重点的に歌唱練習を行うことができるので、効率的に歌唱練習を行うことができる。
【発明の効果】
【００１０】
本発明によれば、利用者が効果的に歌唱練習を行うことができる。
【図面の簡単な説明】
【００１１】
【図１】本発明の一実施の形態のカラオケシステムの全体構成を表す機能ブロック図である。
【図２】楽曲データの複数のフレーズ及び歌詞データの複数のフレーズを説明するための説明図である。
【図３】得点テーブルの一例を示す説明図である。
【図４】楽曲データの再生の具体例を説明するための説明図である。
【図５】リアモニタに表示される画面の一例を示す説明図である。
【図６】リアモニタに表示される画面の一例を示す説明図である。
【図７】リアモニタに表示される画面の一例を示す説明図である。
【図８】リアモニタに表示される画面の一例を示す説明図である。
【図９】リアモニタに表示される画面の一例を示す説明図である。
【図１０】リアモニタに表示される画面の一例を示す説明図である。
【図１１】リアモニタに表示される画面の一例を示す説明図である。
【図１２】操作端末の制御部のＣＰＵが実行する制御手順を表すフローチャートである。
【図１３】模範歌唱を再生する変形例において、模範歌詞データの複数のフレーズを説明するための説明図である。
【図１４】楽曲データ及び模範歌唱データの再生の具体例を説明するための説明図である。
【図１５】操作端末の制御部のＣＰＵが実行する制御手順を表すフローチャートである。
【発明を実施するための形態】
【００１２】
以下、本発明の一実施の形態を図面を参照しつつ説明する。
【００１３】
まず、図１を参照しつつ、本実施形態のカラオケシステムの全体構成を説明する。
【００１４】
図１に示すように、カラオケシステム１は、ホストサーバ３０と、利用者により自動車２内に持ち込まれた操作端末１０（カラオケ装置）と、自動車２内に設置された制御装置２０とを有する。
【００１５】
ホストサーバ３０と操作端末１０とは、例えばインターネット等のネットワークＮＷを介し、互いに情報送受信可能に接続されている。また、操作端末１０と制御装置２０とは、無線通信又はケーブルにより、互いに情報送受信可能に接続されている。
【００１６】
ホストサーバ３０は、制御部３１と、大容量記憶装置３３と、通信制御部３２とを有する。また、ホストサーバ３０には、無線通信又はケーブルにより、入力装置３４及びモニタ３５が接続されている。
【００１７】
制御部３１は、図示しないＣＰＵと、図示しないＲＯＭやＲＡＭ等のメモリとを備える。この制御部３１のＣＰＵは、ＲＡＭの一時記憶機能を利用しつつ、ＲＯＭや大容量記憶装置３３に記憶された各種プログラムを実行することで、ホストサーバ３０全体の制御を行う。
【００１８】
入力装置３４は、例えばキーボードやマウス等から構成され、各種入力が可能である。
【００１９】
モニタ３５は、例えば液晶ディスプレイ等から構成され、各種表示を行う。
【００２０】
大容量記憶装置３３は、例えばハードディスク等から構成され、各種情報を記憶する。例えば、大容量記憶装置３３には、複数のカラオケ楽曲の、ＭＩＤＩ（登録商標）データや演奏の録音データ等の楽曲データ、及び、歌詞データが記憶されている。
【００２１】
図２に示すように、各楽曲データは、連続するデータ上の任意の位置に、当該データを区分するためのフラグ（チャプタ）が少なくとも１つ付加されることで、複数のフレーズ（楽曲フレーズ。図中では順に「フレーズ１」「フレーズ２」「フレーズ３」「フレーズ４」「フレーズ５」・・・と示す）に区分されている。各フレーズの長さは、統一されておらず任意である。例えば、各フレーズは、いわゆるＡメロ、Ｂメロ、サビ等を基準に定められてもよい。
【００２２】
また、各楽曲データに対する歌詞データは、当該楽曲データの複数のフレーズと同一区間となるように、連続するデータ上の任意の位置に、当該データを区分するためのフラグ（チャプタ）が少なくとも１つ付加されることで、複数のフレーズ（歌詞フレーズ。図中では順に「フレーズ１」「フレーズ２」「フレーズ３」「フレーズ４」「フレーズ５」・・・と示す）に区分されている。
【００２３】
図１に示すように、通信制御部３２は、操作端末１０との間で行われる情報通信の制御を行う。
【００２４】
操作端末１０としては、例えば携帯電話やタブレットＰＣ、汎用ＰＣ等が使用可能である。この操作端末１０は、制御部１１と、利用者がカラオケ楽曲の予約操作等の各種操作を可能な操作部１２と、大容量記憶装置１６（記録媒体）と、音源１３と、音声制御部１４と、通信制御部１５と、各種表示を行う表示部１７とを有する。また、操作端末１０には、無線通信又はケーブルにより、マイク１８（音声信号入力手段）が接続されている。なお、後述の制御装置２０側に、無線通信又はケーブルにより、マイク１８が接続されてもよい。
【００２５】
マイク１８は、利用者によるカラオケ歌唱の音声を音声信号に変換し、その音声信号を制御部１１及び音声制御部１４へ出力する。
【００２６】
制御部１１は、図示しないＣＰＵ（演算手段）と、図示しないＲＯＭやＲＡＭ等のメモリとを備える。この制御部１１のＣＰＵは、ＲＡＭの一時記憶機能を利用しつつ、ＲＯＭや大容量記憶装置１６に記憶された各種プログラムを実行することで、操作端末１０全体の制御を行う。
【００２７】
大容量記憶装置１６は、例えばハードディスク等から構成され、各種情報を記憶する。この大容量記憶装置１６は、例えばホストサーバ３０からダウンロードされた楽曲データを記憶する楽曲記憶部１６１（楽曲記憶手段）と、例えばホストサーバ３０からダウンロードされた歌詞データを記憶する歌詞記憶部１６２（歌詞記憶手段）とを備える。また、大容量記憶装置１６には、上記制御部１１のＣＰＵに対し後述の図１２等のフローに示す各手順を実行させるためのカラオケプログラムが記憶されている。カラオケプログラムは、適宜の外部メモリに記憶されたものが取得・インストールされることで、又は、適宜の外部サーバから上記ネットワークＮＷを介しダウンロード・インストールされることで、大容量記憶装置１６に記憶されている。なお、カラオケプログラムは、大容量記憶装置１６に代えて制御部１１のＲＯＭに、予め記憶されていてもよい。この場合、制御部１１のＲＯＭが、記録媒体に相当する。
【００２８】
上記制御部１１のＣＰＵは、上記楽曲記憶部１６１から、上記予約操作に基づくカラオケ楽曲の楽曲データを読み出し、当該楽曲データの複数のフレーズを音源１３へ順次出力する。また、上記制御部１１のＣＰＵは、上記マイク１８から出力された利用者によるカラオケ歌唱の音声信号を取得する。
【００２９】
音源１３は、上記制御部１１のＣＰＵから順次出力された楽曲データの各フレーズを順次再生し、その再生による音声信号を音声制御部１４へ順次出力する。
【００３０】
音声制御部１４は、音源１３から順次出力された音声信号と、マイク１８から出力された音声信号とを、合成・増幅し、その合成・増幅による音声信号を、通信制御部１５を介し制御装置２０へ出力する。なお、上記音源１３及びこの音声制御部１４が、再生手段を構成する。以下適宜、これら音源１３及び音声制御部１４を、省略して「音源１３等」という。
【００３１】
上記制御部１１のＣＰＵは、上記歌詞記憶部１６２から、上記予約操作に基づくカラオケ楽曲の歌詞データを読み出し、上記音源１３等により楽曲データの各フレーズの再生が行われる際に、当該歌詞データの、上記再生が行われる楽曲データの各フレーズに対応するフレーズを、通信制御部１５を介し制御装置２０へ出力する。
【００３２】
また、上記制御部１１のＣＰＵは、上記音源１３等による楽曲データのフレーズの再生が終了するごとに、上記マイク１８から取得した、上記再生の終了したフレーズに対するカラオケ歌唱の音声信号による、音程、リズム、声量、表現力等の少なくとも１つに基づき、当該フレーズに対するカラオケ歌唱を採点（評価）する。
【００３３】
上記大容量記憶装置１６には、上記制御部１１のＣＰＵによる楽曲データの各フレーズに対する採点結果である得点（評価結果）を各利用者ごとに記録可能な得点テーブルＴＢ（後述の図３参照）を記憶する得点記憶部１６３（評価結果記憶手段）が設けられている。
【００３４】
図３に、上記得点テーブルＴＢの一例を示す。
【００３５】
図３に示すように、得点テーブルＴＢには、各利用者の識別情報である利用者ＩＤ（利用者の氏名等でもよい）と、当該利用者が歌唱したカラオケ楽曲の識別情報である楽曲ＩＤ（カラオケ楽曲の名称でもよい）と、当該カラオケ楽曲の楽曲データの各フレーズの識別情報であるフレーズ番号と、当該各フレーズに対する得点（「得点１」は最も新しい得点、「得点２」は２番目に新しい得点、「得点３」は３番目に新しい得点・・・）とが対応付けられて記憶されている。
【００３６】
図１に示すように、制御装置２０は、映像及び音声を同時に視聴可能とする装置である。この制御装置２０には、無線通信又はケーブルにより、自動車２内の適宜の位置に設置されたスピーカ２１と、自動車２内の前部座席に着座する利用者用のモニタであるフロントモニタ２２と、自動車２内の後部座席に着座する利用者用のモニタであるリアモニタ２３（表示手段）とが接続されている。制御装置２０は、上記音声制御部１４から通信制御部１５を介し出力された音声信号を、スピーカ２１により音声出力すると共に、上記制御部１１のＣＰＵから通信制御部１５を介し出力された歌詞データのフレーズに基づく歌詞テロップを、リアモニタ２３により表示する。
【００３７】
通信制御部１５は、制御装置２０との間で行われる情報通信の制御を行う。
【００３８】
ここで、本実施形態では、音源１３等による楽曲データの再生対象とする連続する１以上のフレーズ（以下適宜、「再生対象フレーズ」という）の再生が終了するごとに、マイク１８から取得された、再生の終了した再生対象フレーズに対するカラオケ歌唱の音声信号による、音程、リズム、声量、表現力等の少なくとも１つに基づき、当該再生対象フレーズに対するカラオケ歌唱が採点される。
【００３９】
このとき、再生の終了した再生対象フレーズに対する得点が、所定の第１得点（第１評価基準。この例では７０点とする）よりも低かった（低評価であった）場合、つまり６９点以下であった場合には、当該再生対象フレーズの少なくとも一部が次の再生対象フレーズに再度決定され、当該再生対象フレーズ（再生の終了した１以上のフレーズの少なくとも一部）が再度再生される。一方、再生の終了した再生対象フレーズに対する得点が、第１得点よりも得点の高い（基準の高い）所定の第２得点（第２評価基準。この例では８４点とする）よりも高かった（高評価であった）場合、つまり８５点以上であった場合には、当該再生対象フレーズの直後の１以上のフレーズ（この例では連続する２フレーズとする）が次の再生対象フレーズに決定され、当該再生対象フレーズ（再生の終了した１以上のフレーズの直後の連続する２フレーズ）が連続再生される。また一方、再生の終了した再生対象フレーズに対する得点が、第１得点以上第２得点以下であった場合、つまり７０点以上８４点以下であった場合には、当該再生対象フレーズの直後の１以上のフレーズ（この例では１フレーズとする）が次の再生対象フレーズに決定され、当該再生対象フレーズ（再生の終了した１以上のフレーズの直後の１フレーズ）が再生される。なお、本実施形態では、楽曲データの最初の再生対象フレーズは、当該楽曲データの最初の１フレーズに決定され、当該最初の再生対象フレーズ（楽曲データの最初の１フレーズ）がまず再生される。但し、楽曲データの最初の再生対象フレーズは、当該楽曲データの最初の１フレーズに限られず、連続する２以上のフレーズでもよいし、利用者により操作部１２を介し任意に設定可能としてもよい。
【００４０】
以下、図４を参照しつつ、楽曲データの再生の具体例を説明する。
【００４１】
図４に示す例では、楽曲データの最初の再生対象フレーズである「フレーズ１」がまず再生される。当該「フレーズ１」の再生が行われる際には、リアモニタ２３には、例えば図５に示すように、当該楽曲データの「フレーズ１」に対応する歌詞データの「フレーズ１」に基づく歌詞テロップ４１（この例では「＊＊＊＊＊＊＊＊・・・」と略記する。以下同様）と、当該楽曲データの再生進捗状況に基づく表示４５（この例ではいわゆるプログレスバー。以下適宜、「プログレスバー４５」という）と、当該楽曲データの「フレーズ１」に対する前回の得点に基づく表示４３（この例では「このフレーズは前回７５点でした」）とを含む画面４０が表示される。そして、当該「フレーズ１」の再生が終了する際に、再生の終了した「フレーズ１」に対するカラオケ歌唱が採点され、当該「フレーズ１」に対する得点が、この例では６９点となっている（図４中の（１）を参照）。
【００４２】
この場合、当該「フレーズ１」が次の再生対象フレーズに再度決定され、当該「フレーズ１」が再度再生される。当該「フレーズ１」の再生が行われる際には、リアモニタ２３には、例えば図６に示すように、当該楽曲データの「フレーズ１」に対応する歌詞データの「フレーズ１」に基づく歌詞テロップ４１と、当該楽曲データのプログレスバー４５と、前の再生対象フレーズである「フレーズ１」に対する得点に基づく表示４２（この例では「６９点」）と、前の再生対象フレーズである「フレーズ１」に対する得点に応じて行われた再生制御の内容に基づく表示４４（この例では「もう一度同じフレーズを再生します」）と、当該楽曲データの「フレーズ１」に対する前回の得点に基づく表示４３（この例では「このフレーズは前回６９点でした」）とを含む画面４０が表示される。そして、当該「フレーズ１」の再生が終了する際に、再生の終了した「フレーズ１」に対するカラオケ歌唱が採点され、当該「フレーズ１」に対する得点が、７５点となっている（図４中の（２）を参照）。
【００４３】
この場合、当該「フレーズ１」の直後の「フレーズ２」が次の再生対象フレーズに決定され、当該「フレーズ２」が再生される。当該「フレーズ２」の再生が行われる際には、リアモニタ２３には、例えば図７に示すように、当該楽曲データの「フレーズ２」に対応する歌詞データの「フレーズ２」に基づく歌詞テロップ４１と、当該楽曲データのプログレスバー４５と、前の再生対象フレーズである「フレーズ１」に対する得点に基づく表示４２（この例では「７５点」）と、前の再生対象フレーズである「フレーズ１」に対する得点に応じて行われた再生制御の内容に基づく表示４４（この例では「次のフレーズを再生します」）と、当該楽曲データの「フレーズ２」に対する前回の得点に基づく表示４３（この例では「このフレーズは前回７５点でした」）とを含む画面４０が表示される。そして、当該「フレーズ２」の再生が終了する際に、再生の終了した「フレーズ２」に対するカラオケ歌唱が採点され、当該「フレーズ２」に対する得点が、８０点となっている（図４中の（３）を参照）。
【００４４】
この場合、当該「フレーズ２」の直後の「フレーズ３」が次の再生対象フレーズに決定され、当該「フレーズ３」が再生される。当該「フレーズ３」の再生が行われる際には、リアモニタ２３には、例えば図８に示すように、当該楽曲データの「フレーズ３」に対応する歌詞データの「フレーズ３」に基づく歌詞テロップ４１と、当該楽曲データのプログレスバー４５と、前の再生対象フレーズである「フレーズ２」に対する得点に基づく表示４２（この例では「８０点」）と、前の再生対象フレーズである「フレーズ２」に対する得点に応じて行われた再生制御の内容に基づく表示４４（この例では「次のフレーズを再生します」）と、当該楽曲データの「フレーズ３」に対する前回の得点に基づく表示４３（この例では「このフレーズは前回７５点でした」）とを含む画面４０が表示される。そして、当該「フレーズ３」の再生が終了する際に、再生の終了した「フレーズ３」に対するカラオケ歌唱が採点され、当該「フレーズ３」に対する得点が、９０点となっている（図４中の（４）を参照）。
【００４５】
この場合、当該「フレーズ３」の直後の「フレーズ４」「フレーズ５」が次の再生対象フレーズに決定され、当該「フレーズ４」「フレーズ５」が連続再生される。当該「フレーズ４」「フレーズ５」の再生が行われる際には、リアモニタ２３には、例えば図９に示すように、当該楽曲データの「フレーズ４」「フレーズ５」に対応する歌詞データの「フレーズ４」「フレーズ５」に基づく歌詞テロップ４１と、当該楽曲データのプログレスバー４５と、前の再生対象フレーズである「フレーズ３」に対する得点に基づく表示４２（この例では「９０点」）と、前の再生対象フレーズである「フレーズ３」に対する得点に応じて行われた再生制御の内容に基づく表示４４（この例では「次の２フレーズを連続再生します」）と、当該楽曲データの「フレーズ４」又は「フレーズ５」に対する前回の得点に基づく表示４３（この例では「このフレーズは前回７５点でした」）とを含む画面４０が表示される。そして、当該「フレーズ４」「フレーズ５」の再生が終了する際に、再生の終了した「フレーズ４」「フレーズ５」に対するカラオケ歌唱が採点され、当該「フレーズ４」「フレーズ５」に対する得点が、６５点となっている（図４中の（５）を参照）。
【００４６】
この場合、当該「フレーズ４」「フレーズ５」のうちの「フレーズ４」が次の再生対象フレーズに再度決定され、当該「フレーズ４」が再度再生される。なお、このとき、当該「フレーズ４」「フレーズ５」の両方が次の再生対象フレーズに再度決定されてもよい。当該「フレーズ４」の再生が行われる際には、リアモニタ２３には、例えば図１０に示すように、当該楽曲データの「フレーズ４」に対応する歌詞データの「フレーズ４」に基づく歌詞テロップ４１と、当該楽曲データのプログレスバー４５と、前の再生対象フレーズである「フレーズ４」「フレーズ５」に対する得点に基づく表示４２（この例では「６５点」）と、前の再生対象フレーズである「フレーズ４」「フレーズ５」に対する得点に応じて行われた再生制御の内容に基づく表示４４（この例では「もう一度同じフレーズを再生します」）と、当該楽曲データの「フレーズ４」に対する前回の得点に基づく表示４３（この例では「このフレーズは前回６５点でした」）とを含む画面４０が表示される。そして、当該「フレーズ４」の再生が終了する際に、再生の終了した「フレーズ４」に対するカラオケ歌唱が採点され、当該「フレーズ４」に対する得点が、７２点となっている（図４中の（６）を参照）。
【００４７】
この場合、当該「フレーズ４」の直後の「フレーズ５」が次の再生対象フレーズに決定され、当該「フレーズ５」が再生される。当該「フレーズ５」の再生が行われる際には、リアモニタ２３には、例えば図１１に示すように、当該楽曲データの「フレーズ５」に対応する歌詞データの「フレーズ５」に基づく歌詞テロップ４１と、当該楽曲データのプログレスバー４５と、前の再生対象フレーズである「フレーズ４」に対する得点に基づく表示４２（この例では「７２点」）と、前の再生対象フレーズである「フレーズ４」に対する得点に応じて行われた再生制御の内容に基づく表示４４（この例では「次のフレーズを再生します」）と、当該楽曲データの「フレーズ５」に対する前回の得点に基づく表示４３（この例では「このフレーズは前回６５点でした」）とを含む画面４０が表示される。そして、当該「フレーズ５」の再生が終了する際に、再生の終了した「フレーズ５」に対するカラオケ歌唱が採点され、当該「フレーズ５」に対する得点が、６８点となっている（図４中の（７）を参照）。この場合、当該「フレーズ５」が次の再生対象フレーズに再度決定され、当該「フレーズ５」が再度再生されることとなる（以下省略）。
【００４８】
以下、図１２を参照しつつ、上記手法を実現するために、操作端末１０の制御部１１のＣＰＵが大容量記憶装置１６に記憶されたカラオケプログラムにより実行する制御手順を説明する。
【００４９】
図１２において、このフローに示す処理は、例えば利用者により操作部１２を介しカラオケプログラムの起動操作が行われることで開始される。
【００５０】
まず、ステップＳ１０で、制御部１１のＣＰＵは、利用者により操作部１２を介しカラオケ楽曲の予約操作が行われたかどうかを判定する。カラオケ楽曲の予約操作が行われるまでは、ステップＳ１０の判定は満たされず、ループ待機する。カラオケ楽曲の予約操作が行われたら、ステップＳ１０の判定が満たされて、ステップＳ２０に移る。
【００５１】
ステップＳ２０では、制御部１１のＣＰＵは、ネットワークＮＷ及び通信制御部１５を介し、上記ステップＳ１０で行われた予約操作に基づくカラオケ楽曲の楽曲データ及び歌詞データを、ホストサーバ３０からダウンロードする。その後、制御部１１のＣＰＵは、上記ダウンロードした楽曲データを、大容量記憶装置１６の楽曲記憶部１６１に格納すると共に、上記ダウンロードした歌詞データを、大容量記憶装置１６の歌詞記憶部１６２に格納する。なお、上記ステップＳ１０で行われた予約操作に基づくカラオケ楽曲の楽曲データ及び歌詞データが、楽曲記憶部１６１及び歌詞記憶部１６２に既に格納済みであった場合には、上記ダウンロードは省略される。そして、制御部１１のＣＰＵは、楽曲記憶部１６１から、上記ステップＳ１０で行われた予約操作に基づくカラオケ楽曲の楽曲データを読み出すと共に、歌詞記憶部１６２から、当該楽曲データに対する歌詞データを読み出す。
【００５２】
そして、ステップＳ３０で、制御部１１のＣＰＵは、上記ステップＳ１０で行われた予約操作に基づくカラオケ楽曲に関し、練習モードが選択されていたかどうかを判定する。練習モードが選択されていなかった場合には、ステップＳ３０の判定は満たされず、ステップＳ４０に移る。
【００５３】
ステップＳ４０では、制御部１１のＣＰＵは、上記ステップＳ２０で読み出された楽曲データの各フレーズを音源１３等により順次再生させ、各フレーズに対応する音声信号と、各フレーズに対するカラオケ歌唱の音声信号とを、制御装置２０に接続されたスピーカ２１から順次音声出力させる。
【００５４】
その後、ステップＳ５０に移り、制御部１１のＣＰＵは、上記ステップＳ４０で音源１３等により楽曲データの各フレーズの再生が行われる際に、上記ステップＳ２０で読み出された歌詞データの、上記再生が行われる楽曲データの各フレーズに対応するフレーズ、に基づく歌詞テロップ４１を含む画面（図示せず）を、制御装置２０に接続されたリアモニタ２３に表示させる。その後、このフローに示す処理が終了される。
【００５５】
一方、上記ステップＳ３０において、練習モードが選択されていた場合には、ステップＳ３０の判定が満たされて、ステップＳ６０に移る。
【００５６】
ステップＳ６０では、制御部１１のＣＰＵは、上記ステップＳ２０で読み出された楽曲データの最初の１フレーズを、最初の再生対象フレーズに決定する。
【００５７】
そして、ステップＳ７０で、制御部１１のＣＰＵは、上記ステップＳ２０で読み出された楽曲データの、上記ステップＳ６０、後述のステップＳ１３０、後述のステップＳ１５０、及び後述のステップＳ１７０のいずれかで決定された再生対象フレーズを音源１３等により再生させ、再生対象フレーズに対応する音声信号と、再生対象フレーズに対するカラオケ歌唱の音声信号とを、制御装置２０に接続されたスピーカ２１から音声出力させる。すなわち、上記ステップＳ６０から移行した場合のステップＳ７０では、制御部１１のＣＰＵは、上記ステップＳ２０で読み出された楽曲データの、上記ステップＳ６０で決定された最初の再生対象フレーズ（楽曲データの最初の１フレーズ）を音源１３等によりまず再生させる。
【００５８】
その後、ステップＳ８０に移り、制御部１１のＣＰＵは、上記ステップＳ７０で音源１３等により楽曲データの再生対象フレーズの再生が行われる際に、上記ステップＳ２０で読み出された歌詞データの、上記ステップＳ７０において再生が行われる楽曲データの再生対象フレーズに対応するフレーズ、に基づく歌詞テロップ４１と、当該楽曲データのプログレスバー４５と、前の再生対象フレーズに対する得点に基づく表示４２（最初の再生対象フレーズの場合は省略）と、前の再生対象フレーズに対する得点に応じて行われた再生制御の内容に基づく表示４４（最初の再生対象フレーズの場合は省略）と、当該楽曲データの再生対象フレーズに対する前回の得点に基づく表示４３とを含む画面４０を、制御装置２０に接続されたリアモニタ２３に表示させる。このステップＳ８０の手順を実行する制御部１１のＣＰＵが、表示制御手段として機能する。なお、上記画面４０の表示項目の一部を省略してもよい。また、このステップＳ８０の手順は、必ずしも必要ではなく省略してもよい。
【００５９】
そして、ステップＳ９０で、制御部１１のＣＰＵは、マイク１８を介し入力された、上記ステップＳ７０において再生が行われる楽曲データの再生対象フレーズに対する利用者によるカラオケ歌唱の音声信号を取得する。このステップＳ９０の手順を実行する制御部１１のＣＰＵが、音声取得手段として機能する。
【００６０】
その後、ステップＳ１００に移り、制御部１１のＣＰＵは、上記ステップＳ９０で取得された、上記ステップＳ７０において再生の終了した楽曲データの再生対象フレーズに対するカラオケ歌唱の音声信号による、音程、リズム、声量、表現力等の少なくとも１つに基づき、当該再生対象フレーズに対するカラオケ歌唱を採点する。このステップＳ１００の手順が、歌唱評価手順に相当する。また、このステップＳ１００の手順を実行する制御部１１のＣＰＵが、歌唱評価手段として機能する。
【００６１】
そして、ステップＳ１０５で、制御部１１のＣＰＵは、上記ステップＳ１００で採点された得点等を、大容量記憶装置１６の得点記憶部１６３に記憶された得点テーブルＴＢの対応する欄に記録する。
【００６２】
その後、ステップＳ１１０に移り、制御部１１のＣＰＵは、上記ステップＳ１００で採点された得点を判別する。上記ステップＳ１００で採点された得点が６９点以下であった場合には、ステップＳ１３０に移る。但し、このとき、上記ステップＳ１００で採点された得点が所定の回数（例えば５回）連続で６９点以下であった場合には、後述のステップＳ１５０に移行してもよい。
【００６３】
ステップＳ１３０では、制御部１１のＣＰＵは、上記ステップＳ７０において再生の終了した再生対象フレーズの少なくとも一部を、次の再生対象フレーズに再度決定する。その後、上記ステップＳ７０に移り、同様の手順を繰り返す。すなわち、このステップＳ１３０から移行した場合のステップＳ７０では、制御部１１のＣＰＵは、上記ステップＳ２０で読み出された楽曲データの、このステップＳ１３０で決定された再生対象フレーズ（再生の終了した１以上のフレーズの少なくとも一部）を音源１３等により再度再生させる。
【００６４】
一方、上記ステップＳ１１０において、上記ステップＳ１００で採点された得点が７０点以上８４点以下であった場合には、ステップＳ１５０に移る。但し、このとき、上記ステップＳ２０で読み出された楽曲データの最後のフレーズの再生が終了していた場合には、このフローに示す処理が終了される。
【００６５】
ステップＳ１５０では、制御部１１のＣＰＵは、上記ステップＳ７０において再生の終了した再生対象フレーズの直後の１フレーズを、次の再生対象フレーズに決定する。その後、上記ステップＳ７０に移り、同様の手順を繰り返す。すなわち、このステップＳ１５０から移行した場合のステップＳ７０では、制御部１１のＣＰＵは、上記ステップＳ２０で読み出された楽曲データの、このステップＳ１５０で決定された再生対象フレーズ（再生の終了した１以上のフレーズの直後の１フレーズ）を音源１３等により再生させる。
【００６６】
また一方、上記ステップＳ１１０において、上記ステップＳ１００で採点された得点が８５点以上であった場合には、ステップＳ１７０に移る。但し、このとき、上記ステップＳ２０で読み出された楽曲データの最後のフレーズの再生が終了していた場合には、このフローに示す処理が終了される。
【００６７】
ステップＳ１７０では、制御部１１のＣＰＵは、上記ステップＳ７０において再生の終了した再生対象フレーズの直後の連続する２フレーズを、次の再生対象フレーズに決定する。その後、上記ステップＳ７０に移り、同様の手順を繰り返す。すなわち、このステップＳ１７０から移行した場合のステップＳ７０では、制御部１１のＣＰＵは、上記ステップＳ２０で読み出された楽曲データの、このステップＳ１７０で決定された再生対象フレーズ（再生の終了した１以上のフレーズの直後の連続する２フレーズ）を音源１３等により連続再生させる。
【００６８】
なお、上記ステップＳ７０の手順が、再生制御手順に相当する。また、上記ステップＳ７０の手順を実行する制御部１１のＣＰＵが、再生制御手段として機能する。
【００６９】
以上説明したように、本実施形態では、音源１３等により楽曲データの再生が行われた際に、当該楽曲データの連続する１以上のフレーズの再生が終了されるごとに、再生の終了した１以上のフレーズに対するカラオケ歌唱が採点される。このとき、上記再生の終了した１以上のフレーズに対する得点が６９点以下であった場合には、当該１以上のフレーズは上手に歌唱できていないとみなされて、上記再生の終了した１以上のフレーズ（利用者が上手に歌唱できなかった（不得意な）フレーズ）の少なくとも一部が音源１３等により再度（繰り返して）再生される。これにより、利用者は、上手に歌唱できなかったフレーズについて再度歌唱練習を行うことができる。また、利用者が上手に歌唱できた（得意な）フレーズや普通に歌唱できた（不得意でもなく得意でもない）フレーズについては、上記の上手に歌唱できなかったフレーズと異なり、音源１３により再度再生されないようにする。この結果、利用者は、上手に歌唱できなかったフレーズについて重点的に歌唱練習を行うことができるので、効率的に歌唱練習を行うことができる。
【００７０】
また、本実施形態では特に、音源１３等により楽曲データの各フレーズの再生が行われる際に、歌詞記憶部１６２から読み出された、当該楽曲データに対する歌詞データの、上記再生が行われる各フレーズに対応するフレーズ、に基づく歌詞テロップ４１が、リアモニタ２３に表示される。これにより、利用者は、リアモニタ２３に表示された歌詞テロップ４１を見ながら、より効果的に歌唱練習を行うことができる。
【００７１】
また、本実施形態では特に、音源１３等により楽曲データの各フレーズの再生が行われる際に、当該楽曲データのプログレスバー４５が、リアモニタ２３に表示される。これにより、利用者は、リアモニタ２３に表示されたカラオケ楽曲の再生進捗状況を見ることで、自分がカラオケ楽曲のどのフレーズを歌唱しているのかを認識することができ、さらに効果的に歌唱練習を行うことができる。
【００７２】
また、本実施形態では特に、楽曲データの各フレーズに対する得点に基づく表示４２，４３が、リアモニタ２３に表示される。これにより、利用者は、リアモニタ２３に表示されたカラオケ楽曲の各フレーズに対する得点を見ることで、自分が不得意なフレーズや得意なフレーズ等を認識することができ、さらに効果的に歌唱練習を行うことができる。
【００７３】
また、本実施形態では特に、音源１３等により楽曲データの各フレーズの再生が行われる際に、当該フレーズに対する前回の得点に基づく表示４３が、リアモニタ２３に表示される。これにより、利用者は、リアモニタ２３に表示されたカラオケ楽曲の各フレーズに対する前回の得点を見ることで、当該フレーズが不得意なフレーズであるか得意なフレーズであるか等を認識することができ、さらに効果的に歌唱練習を行うことができる。
【００７４】
なお、本発明は、上記実施形態に限られるものではなく、その趣旨及び技術的思想を逸脱しない範囲内で種々の変形が可能である。以下、そのような変形例を順を追って説明する。
【００７５】
（１）模範歌唱を再生する場合
本変形例では、前述のホストサーバの大容量記憶装置３３には、さらに、複数のカラオケ楽曲の、利用者によるカラオケ歌唱の模範となる歌唱の録音データである模範歌唱データが記憶されている。
【００７６】
図１３に示すように、各楽曲データに対する模範歌唱データは、当該楽曲データの複数のフレーズ、及び、当該楽曲データに対する歌詞データの複数のフレーズと同一区間となるように、連続するデータ上の任意の位置に、当該データを区分するためのフラグ（チャプタ）が少なくとも１つ付加されることで、複数のフレーズ（模範歌唱フレーズ。図中では順に「フレーズ１」「フレーズ２」「フレーズ３」「フレーズ４」「フレーズ５」・・・と示す）に区分されている。
【００７７】
そして、前述の操作端末１０の大容量記憶装置１６は、さらに、例えばホストサーバ３０からダウンロードされた模範歌唱データを記憶する図示しない模範歌唱記憶部（模範歌唱記憶手段）を備える。
【００７８】
前述の制御部１１のＣＰＵは、前述の楽曲記憶部１６１から、前述の予約操作に基づくカラオケ楽曲の楽曲データを読み出すと共に、上記模範歌唱記憶部から、当該楽曲データに対する模範歌唱データを読み出し、当該楽曲データ及び模範歌唱データの複数のフレーズをそれぞれ前述の音源１３へ順次出力する。
【００７９】
音源１３は、上記制御部１１のＣＰＵから順次出力された楽曲データの各フレーズを２回ずつ順次再生すると共に、当該楽曲データの各フレーズの１回目の再生を行う際に、上記制御部１１のＣＰＵから順次出力された模範歌詞データの、上記再生が行われる楽曲データの各フレーズに対応するフレーズも同時に再生し、その再生による音声信号を音声制御部１４へ順次出力する。すなわち、１回目は、楽曲データのフレーズと、当該楽曲データに対する模範歌唱データのフレーズとが同時に再生され、２回目は、楽曲データのフレーズのみが再生される。したがって、利用者は、１回目では、模範歌唱付きでカラオケ楽曲を聞き、２回目で、カラオケ楽曲に対しカラオケ歌唱を行う。
【００８０】
ここで、本変形例では、音源１３等による楽曲データの再生対象フレーズの２回目の再生が終了するごとに、前述のマイク１８から取得された、２回目の再生の終了した再生対象フレーズに対するカラオケ歌唱の音声信号による、音程、リズム、声量、表現力等の少なくとも１つに基づき、当該再生対象フレーズに対するカラオケ歌唱が採点される。
【００８１】
このとき、２回目の再生の終了した再生対象フレーズに対する得点が、６９点以下であった場合には、当該再生対象フレーズの少なくとも一部が次の再生対象フレーズに再度決定され、当該再生対象フレーズ（再生の終了した１以上のフレーズの少なくとも一部）が再度２回再生されると共に、当該再生対象フレーズの１回目の再生を行う際に、上記楽曲データに対する模範歌唱データの、当該再生対象フレーズに対応するフレーズも再度同時に再生される。一方、２回目の再生の終了した再生対象フレーズに対する得点が、８５点以上であった場合には、当該再生対象フレーズの直後の連続する２フレーズが次の再生対象フレーズに決定され、当該再生対象フレーズ（再生の終了した１以上のフレーズの直後の連続する２フレーズ）が２回連続再生されると共に、当該再生対象フレーズの１回目の再生を行う際に、上記楽曲データに対する模範歌唱データの、当該再生対象フレーズに対応する連続する２フレーズも同時に連続再生される。また一方、２回目の再生の終了した再生対象フレーズに対する得点が、７０点以上８４点以下であった場合には、当該再生対象フレーズの直後の１フレーズが次の再生対象フレーズに決定され、当該再生対象フレーズ（再生の終了した１以上のフレーズの直後の１フレーズ）が２回再生されると共に、当該再生対象フレーズの１回目の再生を行う際に、上記楽曲データに対する模範歌唱データの、当該再生対象フレーズに対応する１フレーズも同時に再生される。なお、本変形例でも、楽曲データの最初の再生対象フレーズは、当該楽曲データの最初の１フレーズに決定され、当該最初の再生対象フレーズ（楽曲データの最初の１フレーズ）がまず２回再生されると共に、当該再生対象フレーズの１回目の再生を行う際に、上記楽曲データに対する模範歌唱データの、当該再生対象フレーズに対応する１フレーズも同時に再生される。
【００８２】
以下、図１４を参照しつつ、楽曲データ及び模範歌唱データの再生の具体例を説明する。
【００８３】
図１４に示す例では、楽曲データの最初の再生対象フレーズである「フレーズ１」と、当該楽曲データの「フレーズ１」に対応する模範歌唱データの「フレーズ１」とが、まず同時に再生される（図１４中の（１）を参照）。その後、当該楽曲データの「フレーズ１」のみが再度再生される。そして、当該楽曲データの「フレーズ１」の２回目の再生が終了する際に、２回目の再生の終了した楽曲データの「フレーズ１」に対するカラオケ歌唱が採点され、当該楽曲データの「フレーズ１」に対する得点が、この例では６９点となっている（図４中の（２）を参照）。
【００８４】
この場合、当該楽曲データの「フレーズ１」が次の再生対象フレーズに再度決定され、当該楽曲データの「フレーズ１」と、当該楽曲データの「フレーズ１」に対応する模範歌唱データの「フレーズ１」とが、再度同時に再生される（図１４中の（３）を参照）。その後、当該楽曲データの「フレーズ１」のみが再度再生される。そして、当該楽曲データの「フレーズ１」の２回目の再生が終了する際に、２回目の再生の終了した楽曲データの「フレーズ１」に対するカラオケ歌唱が採点され、当該楽曲データの「フレーズ１」に対する得点が、この例では７５点となっている（図４中の（４）を参照）。
【００８５】
この場合、当該楽曲データの「フレーズ１」の直後の「フレーズ２」が次の再生対象フレーズに決定され、当該楽曲データの「フレーズ２」と、当該楽曲データの「フレーズ２」に対応する模範歌唱データの「フレーズ２」とが、同時に再生される（図１４中の（５）を参照）。その後、当該楽曲データの「フレーズ２」のみが再度再生される。そして、当該楽曲データの「フレーズ２」の２回目の再生が終了する際に、２回目の再生の終了した楽曲データの「フレーズ２」に対するカラオケ歌唱が採点され、当該楽曲データの「フレーズ２」に対する得点が、この例では８０点となっている（図４中の（６）を参照）。
【００８６】
この場合、当該楽曲データの「フレーズ２」の直後の「フレーズ３」が次の再生対象フレーズに決定され、当該楽曲データの「フレーズ３」と、当該楽曲データの「フレーズ３」に対応する模範歌唱データの「フレーズ３」とが、同時に再生される（図１４中の（７）を参照）。その後、当該楽曲データの「フレーズ３」のみが再度再生される。そして、当該楽曲データの「フレーズ３」の２回目の再生が終了する際に、２回目の再生の終了した楽曲データの「フレーズ３」に対するカラオケ歌唱が採点され、当該楽曲データの「フレーズ３」に対する得点が、この例では９０点となっている（図４中の（８）を参照）。
【００８７】
この場合、当該楽曲データの「フレーズ３」の直後の「フレーズ４」「フレーズ５」が次の再生対象フレーズに決定され、当該楽曲データの「フレーズ４」「フレーズ５」と、当該楽曲データの「フレーズ４」「フレーズ５」に対応する模範歌唱データの「フレーズ４」「フレーズ５」とが、同時に連続再生される（図１４中の（９）を参照）。その後、当該楽曲データの「フレーズ４」「フレーズ５」のみが再度再生される。そして、当該楽曲データの「フレーズ４」「フレーズ５」の２回目の再生が終了する際に、２回目の再生の終了した楽曲データの「フレーズ４」「フレーズ５」に対するカラオケ歌唱が採点され、当該楽曲データの「フレーズ４」「フレーズ５」に対する得点が、この例では６５点となっている（図４中の（１０）を参照）。
【００８８】
この場合、当該楽曲データの「フレーズ４」「フレーズ５」のうちの「フレーズ４」が次の再生対象フレーズに再度決定され、当該楽曲データの「フレーズ４」と、当該楽曲データの「フレーズ４」に対応する模範歌唱データの「フレーズ４」とが、再度同時に再生される（図１４中の（１１）を参照）。その後、当該楽曲データの「フレーズ４」のみが再度再生される。なお、このとき、当該楽曲データの「フレーズ４」「フレーズ５」の両方が次の再生対象フレーズに再度決定されてもよい。そして、当該楽曲データの「フレーズ４」の２回目の再生が終了する際に、２回目の再生の終了した楽曲データの「フレーズ４」に対するカラオケ歌唱が採点され、当該楽曲データの「フレーズ４」に対する得点が、この例では７２点となっている（図４中の（１２）を参照）。
【００８９】
この場合、当該楽曲データの「フレーズ４」の直後の「フレーズ５」が次の再生対象フレーズに決定され、当該楽曲データの「フレーズ５」と、当該楽曲データの「フレーズ５」に対応する模範歌唱データの「フレーズ５」とが、同時に再生される（図１４中の（１３）を参照）。その後、当該楽曲データの「フレーズ５」のみが再度再生される。そして、当該楽曲データの「フレーズ５」の２回目の再生が終了する際に、２回目の再生の終了した楽曲データの「フレーズ５」に対するカラオケ歌唱が採点され、当該楽曲データの「フレーズ５」に対する得点が、この例では６８点となっている（図４中の（１４）を参照）。この場合、当該楽曲データの「フレーズ５」が次の再生対象フレーズに再度決定され、当該楽曲データの「フレーズ５」と、当該楽曲データの「フレーズ５」に対応する模範歌唱データの「フレーズ５」とが、再度同時に再生されることとなる（以下省略）。
【００９０】
以下、図１５を参照しつつ、本変形例において、操作端末１０の制御部１１のＣＰＵが大容量記憶装置１６に記憶されたカラオケプログラムにより実行する制御手順を説明する。なお、この図１５は、前述の図１２に対応する図である。図１５中では、図１２と同等の手順には同一の符号を付している。
【００９１】
図１５において、ステップＳ１０は図１２と同等であり、ステップＳ１０において、カラオケ楽曲の予約操作が行われたら、ステップＳ１０の判定が満たされて、ステップＳ２０に代えて設けたステップＳ２０′に移る。
【００９２】
ステップＳ２０′では、制御部１１のＣＰＵは、ネットワークＮＷ及び通信制御部１５を介し、上記ステップＳ１０で行われた予約操作に基づくカラオケ楽曲の楽曲データ、歌詞データ、及び模範歌唱データを、ホストサーバ３０からダウンロードする。その後、制御部１１のＣＰＵは、上記ダウンロードした楽曲データを、大容量記憶装置１６の楽曲記憶部１６１に格納し、上記ダウンロードした歌詞データを、大容量記憶装置１６の歌詞記憶部１６２に格納すると共に、上記ダウンロードした模範歌唱データを、大容量記憶装置１６の模範歌唱記憶部に格納する。なお、上記ステップＳ１０で行われた予約操作に基づくカラオケ楽曲の楽曲データ、歌詞データ、及び模範歌唱データが、楽曲記憶部１６１、歌詞記憶部１６２、及び模範歌唱記憶部に既に格納済みであった場合には、上記ダウンロードは省略される。そして、制御部１１のＣＰＵは、楽曲記憶部１６１から、上記ステップＳ１０で行われた予約操作に基づくカラオケ楽曲の楽曲データを読み出し、歌詞記憶部１６２から、当該楽曲データに対する歌詞データを読み出すと共に、模範歌唱記憶部から、当該楽曲データに対する模範歌唱データを読み出す。
【００９３】
その後のステップＳ３０〜ステップＳ６０は図１２とほぼ同様であり、ステップＳ６０において、上記ステップＳ２０で読み出された楽曲データの最初の１フレーズを最初の再生対象フレーズに決定したら、ステップＳ７０に代えて設けたステップＳ７０′に移る。
【００９４】
ステップＳ７０′では、制御部１１のＣＰＵは、上記ステップＳ２０′で読み出された楽曲データの、上記ステップＳ６０、前述のステップＳ１３０、前述のステップＳ１５０、及び前述のステップＳ１７０のいずれかで決定された再生対象フレーズを音源１３等により２回再生させると共に、当該再生対象フレーズの１回目の再生を行う際に、上記ステップＳ２０′で読み出した模範歌唱データの、当該再生対象フレーズに対応するフレーズも同時に再生させる。これにより、制御部１１のＣＰＵは、１回目は、楽曲データの再生対象フレーズに対応する音声信号と、模範歌唱データの、当該再生対象フレーズに対応するフレーズに対応する音声信号とを、制御装置２０に接続されたスピーカ２１から音声出力させ、２回目は、楽曲データの再生対象フレーズに対応する音声信号と、当該再生対象フレーズに対するカラオケ歌唱の音声信号とを、制御装置２０に接続されたスピーカ２１から音声出力させる。すなわち、上記ステップＳ６０から移行した場合のステップＳ７０′では、制御部１１のＣＰＵは、上記ステップＳ２０′で読み出された楽曲データの、上記ステップＳ６０で決定された最初の再生対象フレーズ（楽曲データの最初の１フレーズ）と、上記ステップＳ２０′で読み出された模範歌唱データの、当該再生対象フレーズに対応するフレーズ（模範歌唱データの最初の１フレーズ）とを音源１３等によりまず同時に再生させ、その後、当該楽曲データの、上記ステップＳ６０で決定された最初の再生対象フレーズのみを音源１３等により再度再生させる。
【００９５】
その後、ステップＳ８０に代えて設けたステップＳ８０′に移り、制御部１１のＣＰＵは、上記ステップＳ７０′で音源１３等により楽曲データの再生対象フレーズの１回目及び２回目の再生が行われる際に、上記ステップＳ２０′で読み出された歌詞データの、上記ステップＳ７０′において再生が行われる楽曲データの再生対象フレーズに対応するフレーズ、に基づく歌詞テロップ４１と、当該楽曲データのプログレスバー４５と、前の再生対象フレーズに対する得点に基づく表示４２（最初の再生対象フレーズの場合は省略）と、前の再生対象フレーズに対する得点に応じて行われた再生制御の内容に基づく表示４４（最初の再生対象フレーズの場合は省略）と、当該楽曲データの再生対象フレーズに対する前回の得点に基づく表示４３とを含む画面４０を、制御装置２０に接続されたリアモニタ２３に表示させる。このステップＳ８０′の手順を実行する制御部１１のＣＰＵが、表示制御手段として機能する。なお、上記画面４０の表示項目の一部を省略してもよい。また、このステップＳ８０′の手順は、必ずしも必要ではなく省略してもよい。
【００９６】
そして、ステップＳ９０に代えて設けたステップＳ９０′で、制御部１１のＣＰＵは、マイク１８を介し入力された、上記ステップＳ７０′において２回目の再生が行われる楽曲データの再生対象フレーズに対する利用者によるカラオケ歌唱の音声信号を取得する。このステップＳ９０′の手順を実行する制御部１１のＣＰＵが、音声取得手段として機能する。
【００９７】
その後、ステップＳ１００に代えて設けたステップＳ１００′に移り、制御部１１のＣＰＵは、上記ステップＳ９０′で取得された、上記ステップＳ７０′において２回目の再生の終了した楽曲データの再生対象フレーズに対するカラオケ歌唱の音声信号による、音程、リズム、声量、表現力等の少なくとも１つに基づき、当該再生対象フレーズに対するカラオケ歌唱を採点する。このステップＳ１００′の手順が、歌唱評価手順に相当する。また、このステップＳ１００′の手順を実行する制御部１１のＣＰＵが、歌唱評価手段として機能する。
【００９８】
その後のステップＳ１０５、ステップＳ１１０、ステップＳ１３０、ステップＳ１５０、及びステップＳ１７０は図１２とほぼ同様である。
【００９９】
すなわち、ステップＳ１３０から移行した場合のステップＳ７０′では、制御部１１のＣＰＵは、上記ステップＳ２０′で読み出された楽曲データの、ステップＳ１３０で決定された再生対象フレーズ（再生の終了した１以上のフレーズの少なくとも一部）と、上記ステップＳ２０′で読み出された模範歌唱データの、当該再生対象フレーズに対応するフレーズ（再生の終了した１以上のフレーズの少なくとも一部）とを音源１３等により同時に再度再生させ、その後、当該楽曲データの、ステップＳ１３０で決定された再生対象フレーズのみを音源１３等により再度再生させる。
【０１００】
一方、ステップＳ１５０から移行した場合のステップＳ７０′では、制御部１１のＣＰＵは、上記ステップＳ２０′で読み出された楽曲データの、ステップＳ１５０で決定された再生対象フレーズ（再生の終了した１以上のフレーズの直後の１フレーズ）と、上記ステップＳ２０′で読み出された模範歌唱データの、当該再生対象フレーズに対応するフレーズ（再生の終了した１以上のフレーズの直後の１フレーズ）とを音源１３等により同時に再生させ、その後、当該楽曲データの、ステップＳ１５０で決定された再生対象フレーズのみを音源１３等により再度再生させる。
【０１０１】
また一方、ステップＳ１７０から移行した場合のステップＳ７０′では、制御部１１のＣＰＵは、上記ステップＳ２０′で読み出された楽曲データの、ステップＳ１７０で決定された再生対象フレーズ（再生の終了した１以上のフレーズの直後の連続する２フレーズ）と、上記ステップＳ２０′で読み出された模範歌唱データの、当該再生対象フレーズに対応するフレーズ（再生の終了した１以上のフレーズの直後の連続する２フレーズ）とを音源１３等により同時に連続再生させ、その後、当該楽曲データの、ステップＳ１７０で決定された再生対象フレーズのみを音源１３等により再度再生させる。
【０１０２】
なお、上記ステップＳ７０′の手順が、再生制御手順に相当する。また、上記ステップＳ７０′の手順を実行する制御部１１のＣＰＵが、再生制御手段として機能する。
【０１０３】
以上説明したように、本変形例では、各フレーズについて、１回目は模範歌唱付きでカラオケ楽曲（伴奏）が再生され、２回目はカラオケ楽曲（伴奏）のみが再生される。これにより、利用者は、音源１３等により再生される１回目のフレーズにおける模範歌唱付きのカラオケ楽曲を参考にして、音源１３等により再生される２回目のフレーズに対しカラオケ歌唱を行うことができる。この結果、再生されるカラオケ楽曲の音程やリズムをよく知らない利用者や、リアモニタ２３に表示された歌詞テロップを見ることができない利用者（例えば、自動車２内のリアモニタ２３に表示された歌詞テロップを見ることができない利用者（前方座席側の利用者）や目が不自由な利用者等）等でも、カラオケ歌唱を行うことができる。
【０１０４】
また、本変形例では、音源１３等により楽曲データおよび模範歌唱データの再生が行われた際に、当該楽曲データの連続する１以上のフレーズの２回目の再生が終了されるごとに、２回目の再生の終了した１以上のフレーズに対するカラオケ歌唱が評価される。このとき、上記２回目の再生の終了した１以上のフレーズに対する得点が６９点以下であった場合には、当該１以上のフレーズは上手に歌唱できていないとみなされて、上記再生の終了した１以上のフレーズ（利用者が上手に歌唱できなかった（不得意な）フレーズ）の少なくとも一部が音源１３等により再度（繰り返して）２回再生すると共に、当該１以上のフレーズの少なくとも一部の１回目の再生を行う際に、上記楽曲データに対する模範歌唱データの、当該１以上のフレーズの少なくとも一部に対応する１以上のフレーズも音源１３等により再度同時に再生される。これにより、利用者は、上手に歌唱できなかったフレーズについて、再度模範歌唱を聞いた上で再度歌唱練習を行うことができる。
【０１０５】
なお、上記では、２回目の再生の終了した再生対象フレーズに対する得点が６９点以下であった場合には、制御部１１のＣＰＵは、上記再生の終了した再生対象フレーズの少なくとも一部を音源１３等により再度２回再生させると共に、当該再生対象フレーズの少なくとも一部の１回目の再生を行う際に、上記楽曲データに対する模範歌唱データの、当該再生対象フレーズの少なくとも一部に対応する１以上のフレーズも音源１３等により再度同時に再生させていたが、これに限られない。すなわち、２回目の再生の終了した再生対象フレーズに対する得点が６９点以下であった場合には、制御部１１のＣＰＵは、上記再生の終了した再生対象フレーズの少なくとも一部を音源１３等により再度１回のみ再生させてもよい。この場合も、上記と同様、利用者は、上手に歌唱できなかったフレーズについて、再度歌唱練習を行うことができる。
【０１０６】
（２）前回の得点にも応じて再生対象フレーズを決定する場合
上記実施形態では、楽曲データの最初の再生対象フレーズを、当該楽曲データの最初の１フレーズに決定すると共に、楽曲データの２回目以降の再生対象フレーズを、当該楽曲データの再生の終了した再生対象フレーズに対する得点に応じて決定していたが、これに限られない。
【０１０７】
本変形例において、操作端末１０の制御部１１のＣＰＵが大容量記憶装置１６に記憶されたカラオケプログラムにより実行する制御手順の要部を、前述の図１２を参照しつつ説明する。
【０１０８】
すなわち、本変形例では、ステップＳ６０で、制御部１１のＣＰＵは、前述のステップＳ１０で楽曲データの予約操作を行った利用者に関する最初の再生対象フレーズを、前述の大容量記憶装置１６の得点記憶部１６３の得点テーブルＴＢに記録された、当該利用者に関する当該楽曲データの各フレーズに対する前回の得点に応じて決定する。
【０１０９】
例えば、制御部１１のＣＰＵは、楽曲データの最初の１フレーズに対する前回の得点が６９点以下であった場合には、最初の再生対象フレーズを、最初の１フレーズのみと決定してもよいし、楽曲データの最初の１フレーズに対する前回の得点が７０点以上であった場合には、最初の再生対象フレーズを、最初の１フレーズとその直後の１フレーズとの２フレーズと決定してもよい。
【０１１０】
上記のような処理内容のステップＳ６０の手順を実行する制御部１１のＣＰＵが、第１フレーズ決定手段として機能する。
【０１１１】
また、本変形例では、ステップＳ１３０、ステップＳ１５０、及びステップＳ１７０のそれぞれでは、制御部１１のＣＰＵは、前述のステップＳ１０で楽曲データの予約操作を行った利用者に関する２回目以降の再生対象フレーズを、再生の終了した再生対象フレーズに対する得点と、上記得点テーブルＴＢに記録された、当該利用者に関する当該楽曲データの各フレーズに対する前回の得点とに応じて決定する。
【０１１２】
例えば、ステップＳ１３０では、制御部１１のＣＰＵは、上記得点テーブルＴＢに記録された、再生の終了した再生対象フレーズに対する前回の得点が、７０点以上８４点以下であった場合には、当該再生対象フレーズの直後の１フレーズを、次の再生対象フレーズに決定してもよいし、８５点以上であった場合には、当該再生対象フレーズの直後の連続する２フレーズを、次の再生対象フレーズに決定してもよい。
【０１１３】
また例えば、ステップＳ１５０では、制御部１１のＣＰＵは、上記得点テーブルＴＢに記録された、再生の終了した再生対象フレーズに対する前回の得点が、６９点以下であった場合には、当該再生対象フレーズの少なくとも一部を、次の再生対象フレーズに再度決定してもよいし、８５点以上であった場合には、当該再生対象フレーズの直後の連続する２フレーズを、次の再生対象フレーズに決定してもよい。
【０１１４】
また例えば、ステップＳ１７０では、制御部１１のＣＰＵは、上記得点テーブルＴＢに記録された、再生の終了した再生対象フレーズに対する前回の得点が、６９点以下であった場合には、当該再生対象フレーズの少なくとも一部を、次の再生対象フレーズに再度決定してもよいし、７０点以上８４点以下であった場合には、当該再生対象フレーズの直後の１フレーズを、次の再生対象フレーズに決定してもよい。
【０１１５】
上記のような処理内容のステップＳ１３０、ステップＳ１５０、及びステップＳ１７０の手順を実行する制御部１１のＣＰＵが、第２フレーズ決定手段として機能する。
【０１１６】
以上説明したように、本変形例では、利用者に関する音源１３等による楽曲データの最初の再生対象フレーズを、得点テーブルＴＢに記録された、当該利用者に関する当該楽曲データの各フレーズに対する前回の得点に応じて決定する。また、利用者に関する音源１３等による楽曲データの２回目以降の再生対象フレーズを、得点テーブルＴＢに記録された、当該利用者に関する当該楽曲データの各フレーズに対する前回の得点、及び、再生の終了した１以上のフレーズに対する得点に応じて決定する。これにより、利用者は、前回カラオケ歌唱時の得点が反映された、さらに効果的な歌唱練習を行うことができる。
【０１１７】
また、本変形例では、再生の終了した１以上のフレーズに対する得点が６９点以下であった場合でも、得点テーブルＴＢに記録された、当該１以上のフレーズに対する前回の得点が、７０点以上であった場合（又は８５点以上であった場合としてもよい）には、当該１以上のフレーズの直後の１以上のフレーズを再生対象フレーズに決定してもよい。この場合には、利用者が今回は上手に歌唱できなかったが前回は普通又は上手に歌唱できていたフレーズについて再度再生しないようにすることができるので、利用者は、さらに効果的な歌唱練習を行うことができる。
【０１１８】
なお、本変形例の手法は、上記（１）の変形例にも適用可能である（説明は省略する）。
【０１１９】
（３）過去所定期間の平均得点にも応じて再生対象フレーズを決定する場合
上記（２）の変形例では、楽曲データの最初の再生対象フレーズを、当該楽曲データの各フレーズに対する前回の得点に応じて決定すると共に、楽曲データの２回目以降の再生対象フレーズを、当該楽曲データの各フレーズに対する前回の得点、及び、再生の終了した再生対象フレーズに対する得点に応じて決定していたが、これに限られない。
【０１２０】
本変形例において、操作端末１０の制御部１１のＣＰＵが大容量記憶装置１６に記憶されたカラオケプログラムにより実行する制御手順の要部を、前述の図１２を参照しつつ説明する。
【０１２１】
すなわち、本変形例では、ステップＳ６０で、制御部１１のＣＰＵは、前述のステップＳ１０で楽曲データの予約操作を行った利用者に関する最初の再生対象フレーズを、前述の大容量記憶装置１６の得点記憶部１６３の得点テーブルＴＢに記録された、当該利用者に関する当該楽曲データの各フレーズに対する過去所定期間（例えば１年間）の得点の平均値（平均得点）に応じて決定する。
【０１２２】
例えば、制御部１１のＣＰＵは、楽曲データの最初の１フレーズに対する過去所定期間の平均得点が６９点以下であった場合には、最初の再生対象フレーズを、最初の１フレーズのみと決定してもよいし、楽曲データの最初の１フレーズに対する過去所定期間の平均得点が７０点以上であった場合には、最初の再生対象フレーズを、最初の１フレーズとその直後の１フレーズとの２フレーズと決定してもよい。
【０１２３】
上記のような処理内容のステップＳ６０の手順を実行する制御部１１のＣＰＵが、第１フレーズ決定手段として機能する。
【０１２４】
また、本変形例では、ステップＳ１３０、ステップＳ１５０、及びステップＳ１７０のそれぞれでは、制御部１１のＣＰＵは、前述のステップＳ１０で楽曲データの予約操作を行った利用者に関する２回目以降の再生対象フレーズを、再生の終了した再生対象フレーズに対する得点と、上記得点テーブルＴＢに記録された、当該利用者に関する当該楽曲データの各フレーズに対する過去所定期間（例えば１年間）の得点の平均値（平均得点）とに応じて決定する。
【０１２５】
例えば、ステップＳ１３０では、制御部１１のＣＰＵは、上記得点テーブルＴＢに記録された、再生の終了した再生対象フレーズに対する過去所定期間の平均得点が、７０点以上８４点以下であった場合には、当該再生対象フレーズの直後の１フレーズを、次の再生対象フレーズに決定してもよいし、８５点以上であった場合には、当該再生対象フレーズの直後の連続する２フレーズを、次の再生対象フレーズに決定してもよい。
【０１２６】
また例えば、ステップＳ１５０では、制御部１１のＣＰＵは、上記得点テーブルＴＢに記録された、再生の終了した再生対象フレーズに対する過去所定期間の平均得点が、６９点以下であった場合には、当該再生対象フレーズの少なくとも一部を、次の再生対象フレーズに再度決定してもよいし、８５点以上であった場合には、当該再生対象フレーズの直後の連続する２フレーズを、次の再生対象フレーズに決定してもよい。
【０１２７】
また例えば、ステップＳ１７０では、制御部１１のＣＰＵは、上記得点テーブルＴＢに記録された、再生の終了した再生対象フレーズに対する過去所定期間の平均得点が、６９点以下であった場合には、当該再生対象フレーズの少なくとも一部を、次の再生対象フレーズに再度決定してもよいし、７０点以上８４点以下であった場合には、当該再生対象フレーズの直後の１フレーズを、次の再生対象フレーズに決定してもよい。
【０１２８】
上記のような処理内容のステップＳ１３０、ステップＳ１５０、及びステップＳ１７０の手順を実行する制御部１１のＣＰＵが、第２フレーズ決定手段として機能する。
【０１２９】
以上説明したように、本変形例では、利用者に関する音源１３等による楽曲データの最初の再生対象フレーズを、得点テーブルＴＢに記録された、当該利用者に関する当該楽曲データの各フレーズに対する過去所定期間の平均得点に応じて決定する。また、利用者に関する音源１３等による楽曲データの２回目以降の再生対象フレーズを、得点テーブルＴＢに記録された、当該利用者に関する当該楽曲データの各フレーズに対する過去所定期間の平均得点、及び、再生の終了した１以上のフレーズに対する得点に応じて決定する。これにより、利用者は、以前のカラオケ歌唱時の得点が反映された、さらに効果的な歌唱練習を行うことができる。
【０１３０】
また、本変形例では、再生の終了した１以上のフレーズに対する得点が６９点以下であった場合でも、得点テーブルＴＢに記録された、当該１以上のフレーズに対する過去所定期間の平均得点が、７０点以上であった場合（又は８５点以上であった場合としてもよい）には、当該１以上のフレーズの直後の１以上のフレーズを再生対象フレーズに決定してもよい。この場合には、利用者が今回は上手に歌唱できなかったが以前は平均して普通又は上手に歌唱できていたフレーズについて再度再生しないようにすることができるので、利用者は、さらに効果的な歌唱練習を行うことができる。
【０１３１】
なお、本変形例の手法は、上記（１）の変形例にも適用可能である（説明は省略する）。
【０１３２】
なお、上記では、楽曲データの予約操作を行った利用者に関する最初の再生対象フレーズを、得点テーブルＴＢに記録された、当該利用者に関する当該楽曲データの各フレーズに対する過去所定期間の平均得点に応じて決定していたが、これに限られない。例えば、楽曲データの予約操作を行った利用者に関する最初の再生対象フレーズを、得点テーブルＴＢに記録された、当該利用者に関する当該楽曲データの各フレーズに対する過去所定回数（例えば５回）の得点の平均値（平均得点）に応じて決定してもよい。この場合も、上記と同様の効果を得ることができる。
【０１３３】
また、上記では、楽曲データの予約操作を行った利用者に関する２回目以降の再生対象フレーズを、再生の終了した再生対象フレーズに対する得点と、得点テーブルＴＢに記録された、当該利用者に関する当該楽曲データの各フレーズに対する過去所定期間の平均得点とに応じて決定していたが、これに限られない。例えば、楽曲データの予約操作を行った利用者に関する２回目以降の再生対象フレーズを、再生の終了した再生対象フレーズに対する得点と、得点テーブルＴＢに記録された、当該利用者に関する当該楽曲データの各フレーズに対する過去所定回数（例えば５回）の得点の平均値（平均得点）とに応じて決定してもよい。この場合も、上記と同様の効果を得ることができる。
【０１３４】
（４）その他
以上では、再生の終了した楽曲データの各フレーズに対するカラオケ歌唱を採点していたが、これに限られない。例えば、再生の終了した楽曲データの各フレーズに対するカラオケ歌唱による音程及びリズムの少なくとも一方を評価（例えば、音程間違いの有無やリズム間違いの有無の少なくとも一方を確認等）してもよい。あるいは、再生の終了した楽曲データの各フレーズに対するカラオケ歌唱による歌詞を評価（例えば、歌詞間違いの有無を確認等）してもよい。この場合も、上記と同様の効果を得る。
【０１３５】
また、以上では、楽曲データの再生対象フレーズの再生が行われる際に、リアモニタ２３に表示される画面４０には、当該楽曲データの再生対象フレーズに対する前回の得点に基づく表示４３が含まれていたが、この表示４３に代えて、当該楽曲データの再生対象フレーズに対する前回以前の少なくとも１回の得点（例えば、過去所定期間の平均点や過去所定回数の平均点、等）に基づく表示が含まれてもよい。この場合も、上記と同様の効果を得ることができる。
【０１３６】
また、以上では、制御装置２０に接続されたスピーカ２１により音声出力すると共に、制御装置２０に接続されたリアモニタ２３により歌詞テロップ等を表示していたが、これに限られない。例えば、上記に代えて又は加えて、操作端末１０に設けた図示しないスピーカにより音声出力したり、制御装置２０に接続されたフロントモニタ２２や操作端末１０の表示部１７により歌詞テロップ等を表示してもよい。この場合も、上記と同様の効果を得ることができる。
【０１３７】
また、以上では、本発明を、利用者により自動車２内に持ち込まれた操作端末１０に適用した場合を説明したが、これに限られず、カラオケルーム等に設置されたカラオケ楽曲の再生サービスを提供する専用装置や、家庭等にあるゲーム機等にも適用可能である。この場合、専用装置やゲーム機等が、カラオケ装置に相当する。専用装置に適用する場合には、専用装置のＣＰＵ（演算手段）に対し上記図１２等のフローに示す各手順に対応する各手順を実行させるためのカラオケプログラムを、専用装置のＲＯＭ等の適宜のメモリ（記録媒体）に予め記憶させておけばよい。また、ゲーム機に適用する場合には、ゲーム機のＣＰＵ（演算手段）に対し上記図１２等のフローに示す各手順に対応する各手順を実行させるためのカラオケプログラムを、適宜の外部サーバから適宜のネットワークを介しゲーム機の大容量記憶装置等の適宜のメモリ（記録媒体）に記憶させるか、当該プログラムを記録したＣＤ，ＤＶＤ，ＢＤ，ＵＳＢメモリ、ＳＤカード等の適宜の媒体（記録媒体）をゲーム機に装着可能とすればよい。
【０１３８】
また、図１中に示す矢印は、信号の流れの一例を示すものであり、信号の流れ方向を限定するものではない。
【０１３９】
また、図１２及び図１５に示すフローチャートは、本発明を図示する手順に限定するものではなく、発明の趣旨及び技術的思想を逸脱しない範囲内で手順の追加・削除又は順番の変更等をしてもよい。
【０１４０】
また、以上既に述べた以外にも、上記実施形態や各変形例による手法を適宜組み合わせて利用してもよい。
【０１４１】
その他、一々例示はしないが、本発明は、その趣旨を逸脱しない範囲内において、種々の変更が加えられて実施されるものである。
【符号の説明】
【０１４２】
１０                操作端末（カラオケ装置）
１３                音源
１４                音声制御部
１８                マイク（音声信号入力手段）
２３                リアモニタ（表示手段）
１６１              楽曲記憶部（楽曲記憶手段）
１６２              歌詞記憶部（歌詞記憶手段）
１６３              得点記憶部（評価結果記憶手段）
【図１】
2014194471.tif 000003
【図２】
2014194471.tif 000004
【図３】
2014194471.tif 000005
【図４】
2014194471.tif 000006
【図５】
2014194471.tif 000007
【図６】
2014194471.tif 000008
【図７】
2014194471.tif 000009
【図８】
2014194471.tif 000010
【図９】
2014194471.tif 000011
【図１０】
2014194471.tif 000012
【図１１】
2014194471.tif 000013
【図１２】
2014194471.tif 000014
【図１３】
2014194471.tif 000015
【図１４】
2014194471.tif 000016
【図１５】
2014194471.tif 000017